(57)【要約】【課題】調理室内の調理器具を初期位置から調理位置に移動させる移動装置が作動しているうちにはマグネトロンの作動を停止させて、移動装置と調理器具間、及び移動装置と調理室の壁面間での高周波による発熱及びスパークを防止する電子レンジ及びその制御方法を提供する。【解決手段】前記調理室内に設けられた調理部を初期位置から調理位置に移動させるための移動部と前記マグネトロンが作動する場合、前記移動部を作動させて前記調理部を調理位置に移動させた後に前記マグネトロンを作動させる。【選択図】        図３
2004184066.tif 000002
【特許請求の範囲】
【請求項１】
調理室と調理室内に設けられた調理部を有する電子レンジにおいて、
高周波数で発振するマグネトロンと、
電源と前記マグネトロン間の電気的連結をスイッチングするスイッチ部と、
前記調理部を初期位置から調理位置に移動させる移動部と、
前記マグネトロンと前記移動部が作動される場合、前記移動部により前記調理部が前記調理位置に移動した後に前記マグネトロンが作動するように前記スイッチ部を制御する制御部とを含んでなることを特徴とする電子レンジ。
【請求項２】
前記移動部は、前記調理室内に露出して前記調理部を支持する連結部を含むことを特徴とする請求項１に記載の電子レンジ。
【請求項３】
前記調理部は前記調理室内に収容された飲食物を加熱するヒーターを含み、前記移動部は前記ヒーターを回転させる回動部を含むことを特徴とする請求項１に記載の電子レンジ。
【請求項４】
前記調理室は後壁を含み、前記回動部は、前記調理室の後壁内に設けられた回転軸と、前記調理室の後壁を貫通する前記モータの回転軸に連結される回転部材とを含み、各回転部材は前記ヒーターの一つ以上が固定される多数の孔を有することを特徴とする請求項３に記載の電子レンジ。
【請求項５】
前記電子レンジは、前記モータの各回転軸から前記調理室の後壁まで延長され、前記調理室内に露出する連結部をさらに含むことを特徴とする請求項４に記載の電子レンジ。
【請求項６】
前記電子レンジは、前記調理部の位置を検出する位置検出部をさらに含み、前記制御部は、前記位置検出部が検出した調理部の位置に基づいて前記マグネトロンが作動されるように前記スイッチ部を制御することを特徴とする請求項１に記載の電子レンジ。
【請求項７】
調理室及びマグネトロンを有する電子レンジの制御方法において、
前記調理室内に設けられた調理部を初期位置から調理位置に移動させるための移動部と前記マグネトロンが作動する場合、前記移動部を作動させて前記調理部を調理位置に移動させた後に前記マグネトロンを作動させる段階を含んでなることを特徴とする電子レンジの制御方法。
【請求項８】
前記マグネトロンを作動させる段階は、
前記移動部と前記マグネトロンを同時に作動させるためのコンビ調理運転が選択されたかを判断する段階と、
前記コンビ調理運転が選択されると、前記調理部を初期位置から調理位置に移動させる段階と、
前記調理部の位置を検出する段階と、
前記調理部の検出された位置に基づき、前記調理部が所定の調理位置に到達したかを判断する段階と、
前記調理部が前記所定の調理位置に到達すると、前記移動部を停止させる段階と、
前記移動部が停止された状態で前記マグネトロンを作動させる段階とを含むことを特徴とする請求項７に記載の電子レンジの制御方法。
【請求項９】
調理室及び高周波数で発振するマグネトロンと前記調理室内に設けられた調理部を有する電子レンジにおいて、
前記マグネトロンへの電源を選択的にスイッチングするスイッチ部と、
前記調理部を第１位置から第２位置に移動させる移動部と、
前記マグネトロンと前記移動部が作動されると、前記調理部が前記第２位置に移動した後に前記マグネトロンを作動させるように前記スイッチ部を制御する制御部とを含んでなることを特徴とする電子レンジ。
【請求項１０】
調理室及び高周波数で発振するマグネトロンと前記調理室内に設けられた調理部を有する電子レンジにおいて、
前記マグネトロンの動作を制御する電源制御部と、
前記調理部を調理位置に移動させる移動部と、
前記調理部が前記調理位置に移動した後にだけ前記マグネトロンが作動するように前記電源制御部及び前記移動部を制御する制御部とを含んでなることを特徴とする電子レンジ。
【請求項１１】
前記移動部は、前記調理室内に露出し前記調理部を支持する連結部を含むことを特徴とする請求項１０に記載の電子レンジ。
【請求項１２】
前記調理部は、前記調理室内に収容された飲食物を加熱する多数のヒーターを含み、前記移動部は、前記多数のヒーターを回転させる回動部を含むことを特徴とする請求項１０に記載の電子レンジ。
【請求項１３】
前記調理室は後壁を含み、
前記調理部は前記調理室内に収容された飲食物を加熱する多数のヒーターを含み、
前記移動部は、前記調理室の後壁内に設けられた移動軸を有する一つ以上のモータと、前記調理室の後壁を貫通する前記一つ以上のモータの移動軸に連結され、前記多数のヒーターの対応ヒーターに連結される移動部材とを含むことを特徴とする請求項１０に記載の電子レンジ。
【請求項１４】
前記各移動部材は、前記対応ヒーターが固定される一つ以上の孔を有することを特徴とする請求項１３に記載の電子レンジ。
【請求項１５】
前記調理室は後壁を含み、
前記回動部は前記調理室の後壁内に設けられた回転軸を有する一つ以上のモータと、前記調理室の後壁を貫通する前記一つ以上のモータの回転軸に連結され、前記多数のヒーターの対応ヒーターに連結される回転部材とを含むことを特徴とする請求項１２に記載の電子レンジ。
【請求項１６】
前記各回転部材は、前記多数のヒーターが固定される一つ以上の孔を有することを特徴とする請求項１５に記載の電子レンジ。
【請求項１７】
前記電子レンジは、前記一つ以上のモータの前記回転軸から前記調理室の後壁まで延長され、前記調理室内に露出する連結部をさらに含むことを特徴とする請求項１５に記載の電子レンジ。
【請求項１８】
前記電子レンジは、前記一つ以上のモータの前記移動軸から前記調理室の後壁まで延長され、前記調理室内に露出する連結部をさらに含むことを特徴とする請求項１３に記載の電子レンジ。
【請求項１９】
前記電子レンジは前記調理部の位置を検出する位置検出部をさらに含み、前記制御部は、前記位置検出部が検出した前記調理部の位置に基づいて前記マグネトロンが作動するように前記電源制御部を制御することを特徴とする請求項１０に記載の電子レンジ。
【請求項２０】
前記電子レンジは前記多数のヒーターの位置を検出する位置検出部をさらに含み、前記制御部は、前記位置検出部が検出した前記多数のヒーターの位置に基づいて前記マグネトロンが作動するように前記電源制御部を制御することを特徴とする請求項１２に記載の電子レンジ。
【請求項２１】
前記電子レンジは前記多数のヒーターの位置を検出する位置検出部をさらに含み、前記制御部は、前記位置検出部が検出した前記多数のヒーターの位置に基づいて前記マグネトロンが作動するように前記電源制御部を制御することを特徴とする請求項１３に記載の電子レンジ。
【請求項２２】
前記調理部は多数のヒーターを含み、前記制御部は、前記多数のヒーターのなかで選択されたヒーターへの電源を供給又は遮断するように選択的にオン又はオフされる第１スイッチ及び第２スイッチを含むことを特徴とする請求項１０に記載の電子レンジ。
【請求項２３】
前記制御部はリレー駆動部をさらに含み、
前記第１スイッチは、前記リレー駆動部が発生する第１電気信号に応じてオフされ、前記多数のヒーターの一つと電源間の電気的通路を閉鎖させ、前記第１スイッチは前記リレー駆動部が発生する第２電気信号に応じてオンされ、前記一つのヒーターと前記電源間の電気的通路を開放させ、
前記第２スイッチは、前記リレー駆動部が発生する第３電気信号に応じてオフされ、前記多数のヒーターの残りのヒーターと電源間の電気的通路を閉鎖させ、前記第２スイッチは前記リレー駆動部が発生する第４電気信号に応じてオンされ、前記残りのヒーターと前記電源間の電気的通路を開放させることを特徴とする請求項２２に記載の電子レンジ。
【請求項２４】
前記制御部はリレー駆動部をさらに含み、
前記リレー駆動部が発生する第１電気信号に応じてオフされ、前記多数のヒーターの一つと電源間の電気的通路を閉鎖させ、前記リレー駆動部が発生する第２電気信号に応じてオンされ、前記一つのヒーターと前記電源間の電気的通路を開放させる第１スイッチと、
前記リレー駆動部が発生する第３電気信号に応じてオフされ、前記多数のヒーターの残りのヒーターと電源間の電気的通路を閉鎖させ、前記リレー駆動部が発生する第４電気信号に応じてオンされ、前記残りのヒーターと前記電源間の電気的通路を開放させる第２スイッチとを含むことを特徴とする請求項１２に記載の電子レンジ。
【請求項２５】
調理室及び高周波数で発振して高周波を放射するマグネトロンと、前記調理室内に設けられ、前記マグネトロンが放射した高周波を受ける調理部を有する電子レンジにおいて、
前記調理部を調理位置に移動させる移動部と、
前記移動部と前記調理部間と、前記移動部と前記調理室の壁間の空間に高周波が集中することを防止するため、前記調理部が前記調理位置に移動した後にだけ前記マグネトロンが作動するように前記移動部と前記マグネトロンを制御する制御部とを含んでなることを特徴とする電子レンジ。
【請求項２６】
調理室及び高周波数で発振して高周波を放射するマグネトロンと、前記調理室内に設けられ、前記マグネトロンが放射した高周波を受ける調理部を有する電子レンジの制御方法において、
前記調理部を第１位置から第２位置に移動させる段階と、
前記調理部が前記第２位置に移動した後にだけ前記マグネトロンが作動するようにスイッチ部を制御することにより、前記移動部と前記調理部間と、前記移動部と前記調理室の壁間の空間に高周波が集中することを防止する段階とを含んでなることを特徴とする電子レンジの制御方法。
【請求項２７】
調理室及びマグネトロンと前記調理室内に設けられた調理部とを有する電子レンジの制御方法において、
前記マグネトロンへの電源を選択的にスイッチングする段階と、
前記調理部を第１位置から第２位置に移動させる段階と、
前記マグネトロンと前記移動部が作動すると、前記調理部が前記第２位置に移動した後に前記マグネトロンを作動させるように前記スイッチング動作を制御する段階とを含んでなることを特徴とする電子レンジの制御方法。
【請求項２８】
調理室及びマグネトロンと前記調理室内に設けられた調理部とを有する電子レンジの制御方法において、
前記マグネトロンへの電源を制御する段階と、
前記調理部を調理位置に移動させる段階と、
前記調理部が前記調理位置に移動した後にだけ前記マグネトロンが作動するように前記移動段階と前記電源制御段階を制御する段階とを含んでなることを特徴とする電子レンジの制御方法。
【請求項２９】
前記移動段階を制御する段階は、前記調理部を移動させると同時に前記マグネトロンを作動させるためのコンビ調理運転が選択されたかを判断する段階を含み、
前記調理部を移動させる段階は、
前記コンビ調理運転が選択されると、前記調理部を初期位置から前記調理位置に移動させる段階と、
前記調理部の位置を検出する段階と、
前記調理部の検出位置に基づき、前記調理部が所定の調理位置に到達したかを判断する段階と、
前記調理部が前記所定の調理位置に到達すると、前記移動部を停止させる段階と、
前記移動部が停止した状態で前記マグネトロンを作動させる段階とを含むことを特徴とする請求項２４に記載の電子レンジの制御方法。
【請求項３０】
調理室とマグネトロンを有する電子レンジの制御方法において、
前記調理室内に設けられた調理部を第１位置から第２位置に移動させるための移動部と前記マグネトロンが作動する場合、前記移動部を作動させて前記調理部を前記第２位置に移動させた後に前記マグネトロンを作動させる段階を含んでなることを特徴とする電子レンジの制御方法。
【請求項３１】
前記マグネトロンを作動させる段階は、
前記移動部と前記マグネトロンを同時に作動させるためのコンビ調理運転が選択されたかを判断する段階と、
前記コンビ調理運転が選択されると、前記調理部を第１位置から前記第２位置に移動させる段階と、
前記調理部の位置を検出する段階と、
前記調理部の検出された位置に基づき、前記調理部が所定の調理位置に到達したかを判断する段階と、
前記調理部が前記所定の調理位置に到達すると、前記移動部を停止させる段階と、
前記移動部が停止された状態で前記マグネトロンを作動させる段階とを含むことを特徴とする請求項３０に記載の電子レンジの制御方法。
【請求項３２】
調理室及び高周波数で発振するマグネトロンと前記調理室内に設けられた調理部を有する電子レンジにおいて、
前記マグネトロンへの電源を選択的にスイッチングするスイッチ部と、
前記調理部を第１位置から第２位置に移動させる移動部と、
前記調理部を移動させながら前記マグネトロンを停止させるため、前記スイッチ部を制御する制御部とを含んでなることを特徴とする電子レンジ。
【請求項３３】
調理室及びマグネトロンと前記調理室内に設けられた調理部を有する電子レンジの制御方法において、
前記マグネトロンへの電源を選択的にスイッチングする段階と、
前記調理部を第１位置から第２位置に移動させる段階と、
前記調理部を移動させながら前記マグネトロンを停止させるため前記選択的スイッチング段階を制御する段階とを含んでなることを特徴とする電子レンジの制御方法。
【請求項３４】
調理室及び高周波数で発振するマグネトロンと前記調理室内に設けられた調理部を有する電子レンジにおいて、
前記マグネトロンへの電源を選択的にスイッチングするスイッチ部と、
前記調理部を第１位置から第２位置に移動させる移動部と、
前記移動部を移動させながら前記マグネトロンの作動を防止する制御部とを含んでなることを特徴とする電子レンジ。
【請求項３５】
調理室及びマグネトロンと前記調理室内に設けられた調理部を有する電子レンジの制御方法において、
前記マグネトロンへの電源を選択的にスイッチングする段階と、
前記調理部を第１位置から第２位置に移動させる段階と、
前記調理部を移動させながら前記マグネトロンの作動を防止するため、前記選択的スイッチング段階を制御する段階とを含んでなることを特徴とする電子レンジの制御方法。
【発明の詳細な説明】
【０００１】
【発明の属する技術分野】
本発明は電子レンジ及びその制御方法に係り、より詳しくは高周波発振による調理室内のスパーク発生を防止するための電子レンジ及びその制御方法に関するものである。
【０００２】
【従来の技術】
一般に、電子レンジはマグネトロンから調理室の内部に供給される高周波を用いて飲食物を調理する機器である。
【０００３】
近年、電子レンジに、加熱源として、高周波を放射するマグネトロンのほかに調理室内にヒーターを取り付け、ヒーターによるグリル調理及びマグネトロンによるコンビ調理を行っている。
【０００４】
かかる電子レンジの一部モデルには、前記ヒーターが回動可能に設けられる。すなわち、調理室の外側にモータを取り付けられ、モータの回転軸は調理室の後壁を貫通して、ヒーターが取り付けられた回転円板に組み立てられる。
【０００５】
したがって、グリル調理又はコンビ調理に際して、モータを作動させてヒーターを所定の加熱位置に回転させた状態で、ヒーターを作動させ、調理が終了すると、逆方向に回転させて元の位置に復帰させる。
【０００６】
しかし、従来の電子レンジのコンビ調理の際、マグネトロンとヒーターが同時に動作するため、マグネトロンにより発生した高周波が調理室内に流入している状態で、モータを作動させてヒーターを所定の加熱位置に回転させると、ヒーターと回転円板間、又はモータの回転軸と調理室の後壁間にマイクロ波が集中してスパークが生じ得る問題点がある。
【０００７】
【発明が解決しようとする課題】
したがって、本発明は前記のような従来の問題点を解決するためになされたもので、調理室内の調理器具を初期位置から調理位置に移動させる移動装置が作動しているうちにはマグネトロンが作動しないようにすることにより、移動装置と調理器具間、及び移動装置と調理室の壁面間での高周波による発熱及びスパークを防止する電子レンジ及びその制御方法を提供することにその目的がある。
【０００８】
【課題を解決するための手段】
前記目的を達成するため、本発明は、調理室と調理室内に設けられた調理部を有する電子レンジにおいて、高周波数で発振するマグネトロンと、電源と前記マグネトロン間の電気的連結をスイッチングするスイッチ部と、前記調理部を初期位置から調理位置に移動させる移動部と、前記マグネトロンと前記移動部が作動される場合、前記移動部により前記調理部が前記調理位置に移動した後に前記マグネトロンが作動するように前記スイッチ部を制御する制御部とを含んでなる電子レンジを提供する。
【０００９】
また、本発明は、調理室及びマグネトロンを有する電子レンジの制御方法において、前記調理室内に設けられた調理部を初期位置から調理位置に移動させるための移動部と前記マグネトロンが作動する場合、前記移動部を作動させて前記調理部を調理位置に移動させた後に前記マグネトロンを作動させる段階を含んでなる電子レンジの制御方法を提供する。
【００１０】
【発明の実施の形態】
以下、本発明の好ましい実施例を添付図面に基づいて詳細に説明する。
【００１１】
本発明は、回動可能な加熱ヒーター、昇降可能なターンテーブル、昇降可能なラックなどのような調理室内の調理器具と、その調理器具を初期位置から調理位置に移動させる移動装置間の結合部位が前記調理室内に露出したままで装着されるものを対象とする。
【００１２】
図１は本発明の実施例による電子レンジの概略正面図である。同図に示すように、本発明の実施例による電子レンジは、マグネトロン１１のような電気部品が設けられ、高周波を発生させる電装室１０と、該電装室１０から区画され、マグネトロン１１から発生する高周波が照射される調理室２０とを備える。この調理室２０は、後壁２１、左右側壁２２、２３、上部壁２４、及び底面２５により形成され、前面が開放されている。この開放された前面開口にはドア（図示せず）が設けられて調理室２０を開閉する。調理室２０の底面２５には、飲食物を上面に支持して調理するターンテーブル２６とモータ２７が設けられている。
【００１３】
また、調理室２０の上部壁２４に隣接した位置には、調理室２０の下部に向けて高温の熱を放出する上部ヒーター３１が設けられ、この上部ヒーター３１とターンテーブル２６間には、調理室２０の上部及び下部に向けて高温の熱を放出する二つの下部ヒーター３２が設けられる。すなわち、上部ヒーター３１は調理室２０の上部に配置され、二つの中間ヒーター３２は上部ヒーター３１とターンテーブル２６間に配置される。上部ヒーター３１と二つの下部ヒーター３２間に置かれた調理物はその上面と下面にヒーター熱を受け、下部ヒーター３２とターンテーブル２６間に置かれた調理物はその上面にヒーター熱を受けることになる。
【００１４】
前記二つの下部ヒーター３２は調理室２０の後壁２１に回動可能に取り付けられた一対の回転円板３３の複数の孔に挿着される。下部ヒーター３２は、回転円板３３と調理室２０の外側に設けられたモータにより初期位置から調理位置に、又は調理位置から初期位置に左右回動することにより、調理室２０の側壁２２、２３に隣接して折り畳まれた位置、調理室２０の中心に向かって水平に広がった位置に回動される。図面で未説明符号３４は上部支持部、３５は下部支持部である。
【００１５】
図２は図１に示す電子レンジの調理動作を示す制御ブロック図である。同図に示すように、本発明の実施例による電子レンジは、上部ヒーター３１及び下部ヒーター３２を駆動するための駆動回路１００を含む。この駆動回路１００は、入力交流電源の両端に並列に上部ヒーター３１及び下部ヒーター３２が設けられる。また、ヒーター３１、３２と入力交流電源端間にはスイッチ部３３が設けられ、このスイッチ部３３は、上部ヒーター３１と入力交流電源間、そして二つの並列に連結された下部ヒーター３１と入力交流電源間の電気的通路を開放させるか又は閉鎖させて、上部ヒーター３１と下部ヒーター３２に電源を供給させるか又は遮断させる。このスイッチ部３３は、一例として、図２に示すように、前記上部ヒーター３１及び下部ヒーター３２からの電源供給又は遮断によって選択的にオン又はオフされる第１リレースイッチ（ＲＹ１）と第２リレースイッチ（ＲＹ２）を含む。前記第１リレースイッチ（ＲＹ１）は、正常状態では制御部３００の制御下で前記リレー駆動部３１０により発生する第１電気信号に応じてオフされ、上部ヒーター３１と入力交流電源間の電気的通路を閉鎖させ、制御部３００の制御下で前記リレー駆動部３１０により発生する第２電気信号に応じてオンされ、上部ヒーター３１と入力交流電源間の電気的通路を開放させ、上部ヒーター３１と入力交流電源間の電気的通路を開放させる。前記第２リレースイッチ（ＲＹ２）は、正常状態では制御部３００の制御下で前記リレー駆動部３１０により発生する第３電気信号に応じてオフされ、下部ヒーター３２と入力交流電源間の電気的通路を閉鎖させ、制御部３００の制御下で前記リレー駆動部３１０により発生する第４電気信号に応じてオンされ、下部ヒーター３２と入力交流電源間の電気的通路を開放させる。
【００１６】
また、本発明の実施例による電子レンジはマグネトロンを駆動するための高圧部制御回路２００を含む。高圧部制御回路２００は、高周波を発振するマグネトロン１１と、該マグネトロン１１に入力交流電源による電圧を昇圧させて所定の電圧値を供給する高圧トランスＨＶＴと、該高圧トランスＨＶＴにより昇圧された電圧を直流高電圧に変換させる高圧コンデンサＨＶＣ及び高圧ダイオードＨＶＤとを含む。高圧トランスＨＶＴの１次コイルの後端と入力交流電源端との間には、マグネトロン１１の作動のため、第３リレースイッチ（ＲＹ３）が設けられる。この際、高圧部制御回路２００とヒーター駆動回路１００は直列に連結される。
【００１７】
本発明の実施例による電子レンジは、電子レンジの全般的な制御を行う制御部３００を含み、第１リレースイッチ（ＲＹ１）、第２リレースイッチ（ＲＹ２）、及び第２リレースイッチ（ＲＹ３）をオン又はオフさせるリレー駆動部３１０を含む。制御部３００は操作パネルに設けられ、コンビ調理キー、グリル調理キー、及びマグネトロンを駆動するための多数の調理キーを有するキー入力部３２０の入力信号に応じて該当制御信号を生成してリレー駆動部３１０を駆動させる。
【００１８】
また、本発明の実施例による電子レンジは、下部ヒーター３２を回動させるため、下部ヒーター３２が取り付けられた回転円板３３を回転させるためのモータを駆動するモータ駆動部３４０を含み、モータの回転により回動する下部ヒーター３２の位置を検出するための位置検出部３３０を含む。
【００１９】
図３は本発明の実施例による電子レンジの制御方法を示す制御フローチャートである。同図に示すように、制御部３００は、使用者によりコンビ調理キーが選択されたかを判断する（１００）。コンビ調理キーが選択されていないと、制御部３００は選択されたキーに対応する制御を行う（２００）。
【００２０】
一方、コンビ調理キーが選択されると、制御部３００は、下部ヒーター３２を前もって加熱位置に回動させるため、モータ駆動部３４０によりモータ（Ｍ）を作動させる（１１０）。よって、モータ（Ｍ）の回転軸に連結された回転円板３３が回転し、この回転円板３３に固定された下部ヒーター３２も一緒に回転する。この際、制御部３００は、リレー駆動部３１０により第３リレースイッチ（ＲＹ３）をオフさせ、下部ヒーター３２の回転中にはマグネトロン１１が作動しないようにする。
【００２１】
ついで、制御部３００は、下部ヒーター３２が前もって設定された加熱位置に到達したかを確認するため、位置検出部３３０により下部ヒーターの位置を検出する（１２０）。
【００２２】
そして、制御部３００は、検出された下部ヒーターの位置と前もって設定された加熱位置とを比較して同一であるかを判断する（１３０）。
【００２３】
下部ヒータ３２が前もって設定された加熱位置に到達すると、制御部３００はモータ駆動部３４０により作動中のモータ（Ｍ）を停止させる（１４０）。
【００２４】
モータ（Ｍ）を停止させた後、制御部３００はリレー駆動部３１０により第３リレースイッチ（ＲＹ３）をオンさせてマグネトロンを作動させる（１５０）。この際、制御部はマグネトロンを作動させるとともに、第１リレースイッチ（ＲＹ１）及び第２リレースイッチ（ＲＹ２）をオンさせて上部ヒーター３１と下部ヒーター３２を作動させる。
【００２５】
【発明の効果】
以上説明したように、本発明は調理室内の調理器具を初期位置から調理位置に移動させる移動装置とマグネトロンを同時に動作させる場合、まず調理器具を調理位置に移動させた後、マグネトロンを作動させることにより、移動装置と調理器具間、及び移動装置と調理室壁面間での高周波による発熱及びスパークを防止する効果がある。
【図面の簡単な説明】
【図１】本発明の実施例による電子レンジの概略正面図である。
【図２】図１に示す電子レンジの調理動作を示す制御ブロック図である。
【図３】本発明の実施例による電子レンジの制御方法を示す制御フローチャートである。
【符号の説明】
１００  ヒーター駆動回路
２００  高圧部制御回路
３００  制御部
３１０  リレー駆動部
３２０  キー入力部
３３０  位置検出部
３４０  モータ駆動部
【図１】
2004184066.tif 000003
【図２】
2004184066.tif 000004
【図３】
2004184066.tif 000005